(57)【特許請求の範囲】
【請求項１】
筐体（１）内に収納され、支点（２F）を中心にして旋回自在のカメラユニット（２）の側面に光軸（Ax）と並行に延びる長溝部（２１）を設け、前記筐体から延設されたダイヤル挿入部（１３）に軸支された回転軸（３F）を中心にして回転自在で、前記長溝部に係合し前記カメラユニットを旋回させる前記回転軸と並行で前記回転軸から偏心したピン（３１）を有するダイヤル（３）を設け、前記ピンは、前記カメラユニットが水平なとき、前記ダイヤルの前記カメラユニット寄り半円（Ｃ）内に配設されることにより前記カメラユニットと前記ダイヤルの動きを同一方向とすることを特徴とするカメラ付玄関子機用チルト構造。
【請求項２】
前記ダイヤルは、前記ダイヤルの両側面の少なくとも片面および前記少なくとも片面に対応する前記ダイヤル挿入部の何れか一方には、前記ダイヤルの半径方向に沿って複数個の溝（４）が穿設され、他方には前記複数個の溝に篏着される突起（５）が突設されたことを特徴とする請求項１または２記載のカメラ付玄関子機用チルト構造。
【発明の詳細な説明】
【０００１】
【発明が属する技術分野】
【０００２】
本発明はカメラ付玄関子機用チルト構造に係わり、特に、カメラユニットの上下方向の設定をダイヤル式で行い、設定方向と同一方向に操作を行なうことができるカメラ付玄関子機用チルト構造に関する。
【従来の技術】
【０００３】
従来から、カメラ付玄関子機用チルト構造は、図４に示すように、筐体１０内に、来訪者を撮像するカメラユニット２０と、カメラユニット２０の支点２９を支持するため筐体１０に固定された支持具２８と、カメラユニット２０が搭載された基板６０とを有し、基板６０の背面６１にはレバー篏合部６２が設けられている。
【０００４】
筐体１０の裏面１９には、基板６０に搭載されたカメラユニット２０をチルト方向に旋回させるための樹脂製のレバー８が移動可能なよう、レバー移動穴１８が穿設され、筐体の裏面１９と筐体１０が取り付けられる壁面Ｗとの間に、レバー８を操作する操作部８１が配設されている。操作部８１の両端の筐体１０側にはそれぞれ突起８２（８２ａ、８２ｂ）が突設され、これら突起８２に対応して、筐体の裏面１９には篏合穴１７(１７ａ、１７ｂ、１７ｃ、１７ｄ、…)が複数個穿設されている。
【０００５】
来訪者を撮像するカメラユニット２０の上下の角度を変更（チルト調整）する際、カメラユニット２０の支点２９は筐体１０に固定された支持具２８に支持されているので、操作部８１のスライドに連動するレバー８の動きに応じて、支点２９を中心に基板６０に搭載されたカメラユニット２０が旋回するもので、カメラユニット２０をＣ(上)方向に旋回させるときは、操作部をＣ´(下)方向にスライドさせ、カメラユニット２０をＤ(下)方向に旋回させるときは、操作部をＤ´(上)方向にスライドさせる。
【０００６】
操作部をＣ´方向あるいはＤ´方向にスライドさせると、操作部の両端に突設された突起８２が、対応する筐体の裏面１９の篏合穴１７に篏合される。こうしてカメラユニット２０のチルト調節が段階的にではあるが行われ、突起８２と篏合穴１７のストッパー機能により確実に位置決めされる。
【０００７】
カメラユニット２０のチルト調節を変更するときは、操作部８１の中央付近(レバーの基部付近)を押す。すると、レバーの基部付近の樹脂弾性により、操作部８１の両端の突起８２が篏合穴１７から外れるので、操作部８１をスライドさせ、所望の方向にカメラユニット２０のチルト調節を行う。
【発明が解決しようとする課題】
【０００８】
上記従来のカメラ付玄関子機用チルト構造では、カメラユニット２０をＣ(上)方向に旋回させるときは、操作部８１をＣ´(下)方向にスライドさせるごとく、カメラユニット２０と操作部８１の動きが反対のため、カメラユニット２０のチルト調節時に錯覚を起こすことが指摘されていた。
【０００９】
また、カメラユニット２０のチルト調節を変更するには、操作部８１の中央付近(レバーの基部付近)を押すと(矢印Ｆ)、レバー８の基部付近の樹脂弾性により、操作部８１の両端の突起８２が篏合穴１７から外れる(矢印Ｅ)はずであるが、強すぎるとレバー８の基部付近だけでなく操作部８１全体に矢印Ｆ方向に力がかかってしまい、逆方向(矢印Ｅ)には外れないという難点があった。
【００１０】
本発明は、上記従来の難点を解決するためになされたもので、カメラユニットと操作部の動きを同一方向とし、また、チルト調節変更時にストッパーのオンオフ切替えが容易な、操作性の優れたカメラ付玄関子機用チルト構造を提供することを目的としている。
【課題を解決するための手段】
【００１１】
本発明のカメラ付玄関子機用チルト構造は、筐体内に収納され、支点を中心にして旋回自在のカメラユニットの側面に光軸と並行に延びる長溝部を設け、筐体から延設されたダイヤル挿入部に軸支された回転軸を中心にして回転自在で、長溝部に係合しカメラユニットを旋回させる回転軸と並行で回転軸から偏心したピンを有するダイヤルを設け、ピンは、カメラユニットが水平なとき、ダイヤルのカメラユニット寄り半円内に配設されている。
【００１２】
また、ダイヤルは、ダイヤルの両側面の少なくとも片面および少なくとも片面に対応するダイヤル挿入部のいずれか一方には、ダイヤルの半径方向に沿って複数個の溝が穿設され、他方には複数個の溝に篏着される突起が突設されている。
【００１３】
ダイヤルを操作すると、ダイヤルのピンがカメラユニットの長溝部に係合しながらカメラユニットの支点を中心にしてカメラユニットを上下に旋回させる。
【００１４】
ダイヤルのピンは、カメラユニットが水平なときダイヤルのカメラユニット寄り半円内に配設されているので、カメラユニットとダイヤルの動きが一致して誤操作がない。
【００１５】
ダイヤル挿入部とダイヤルの凹凸組合わせによるストッパーなので、強い力がかかったときにストッパーが外れないということはない。
【発明の実施の形態】
【００１６】
以下、本発明のカメラ付玄関子機用チルト構造をその実施の形態例について図面を参照して詳述する。
【００１７】
図１（ａ）に示すように、本発明のカメラ付玄関子機用チルト構造は、筐体１内に収納され側面に光軸Axと並行に延びる長溝部２１を有するカメラユニット２と、カメラユニット２の支点２Fを中心にしてカメラユニット２を旋回させるダイヤル３とから構成される。
【００１８】
カメラユニット２は基板６に搭載され、カメラユニット２または基板６に固定されている部材２２に固定されたカメラユニット２の支点２Fは、筐体１に固定た支持具１２によって支持され、カメラユニット２の側面に穿設された長溝部２１は、後述するピン３１が、ダイヤル３を操作したとき摺動可能な長さを有し、ダイヤル３の内径Ｒより大である長さが望ましい。
【００１９】
ダイヤル３は実質的に円板状で、円周部に操作用の小突起を有し、円板状の両側面は、筐体１から延設されたダイヤル挿入部１３に挿入され、操作のため一部分がダイヤル挿入部１３から出た位置で、ダイヤル３の中心の回転軸３Fが、ダイヤル挿入部１３に軸支されダイヤル３は回転軸３Fを中心にして回転自在である。なお、ダイヤル挿入部１３は実質的にポケット状をなしている(図示せず)。
【００２０】
ダイヤル３には、その回転軸３Fと並行でカメラユニット２の側面の長溝部２１内を摺動する回転軸３Fから偏心したピン３１が突設され、長溝部２１に係合している。このピン３１の位置は、カメラユニット２が水平に維持されているとき、ダイヤル３のカメラユニット寄り半円Ｃ(斜線部分)内に配設されている。また回転軸３Fは、カメラユニット２が旋回したとき旋回を妨げない長さである。
【００２１】
図１に示すように、円板状のダイヤル３の両側面の少なくとも片面か、それに対応するポケット１３のいずれか一方には、ダイヤル３の半径方向に沿って複数個の溝４、４、…が穿設され、他方には溝４に篏着される突起５が突設されている（図１（ｂ）では、ダイヤル３側に溝４、ポケット１３側に突起５が設けられている）。ダイヤル３およびダイヤル挿入部１３(筐体)は合成樹脂製なので、樹脂弾性を利用して、突起５を有するポケット内で、溝４を有するダイヤル３を回転させることができる。
【００２２】
以下、本発明のカメラ付玄関子機用チルト構造の動作を説明する。
【００２３】
来訪者を撮像するカメラユニット２の上下の角度を変更（チルト調整）する際、カメラユニット２の支点２Fは筐体１に固定された支持具１２に支持されているので、ダイヤル３の動きに応じて、支点２Fを中心に基板６に搭載されたカメラユニット２が旋回するものである。
【００２４】
図２（ｂ）に示すように、ダイヤル３をＡ´(上)方向に回すと、ピン３１は長溝部２１内を図面左に移動しながらやがてカメラユニット２を旋回させるので、カメラユニット２はＡ(上)方向を向くことになる。カメラユニット２をＢ(下)方向に旋回させるときは、ダイヤル３をＢ´(下)方向に回す。
【００２５】
図２では、カメラユニット２が水平なとき、ダイヤル３のピン３１が、カメラユニット寄り半円Ｃ内の上端かつ長溝部２１の途中に配設されている（同図（ａ））ので、同図（ｂ）のようにカメラユニット２を上向きに旋回させることを目的とするカメラ付玄関子機に好適である。
【００２６】
図３（ａ）に示すように、カメラユニット２が水平なとき、ダイヤル３のピン３１が、カメラユニット寄り半円Ｃ内の左中央付近かつ長溝部２１の途中に配設されると、同図（ｂ）のようにカメラユニット２を下向きに旋回させることも、逆に上向きに旋回させる(図示せず)ことも両方可能なカメラ付玄関子機に好適となる。
【００２７】
ダイヤル３をＡ´方向あるいはＢ´方向に回転させると、図１（ａ）、（ｂ）に示すように、ポケット１３の突起５が、対応するダイヤル３の溝４に篏合されたり外されたりして、チルト調節変更時のストッパーのオンオフ切替えを行うことができる。大きな力を加えれば、ダイヤル３の回転角度(＝カメラユニット２の旋回)が大きくなるだけで、所望の位置まで戻せばよい。
【発明の効果】
【００２８】
以上の説明から明らかなように、本発明のカメラ付玄関子機用チルト構造によれば、ダイヤルを操作すると、ダイヤルのピンがカメラユニットの長溝部に係合しながらカメラユニットの支点を中心にしてカメラユニットを上下に旋回させる。
【００２９】
ダイヤルのピンは、カメラユニットが水平なときダイヤルのカメラユニット寄り半円内に配設されているので、カメラユニットとダイヤルの動きが一致して誤操作がない。
【００３０】
ダイヤル挿入部とダイヤルの凹凸関係によりチルト調節変更時のストッパーのオンオフ切替えを行うので、大きな力を加えてもダイヤルの回転角度が大きくなるだけで、所望の位置まで戻せばよい。
【図面の簡単な説明】
【００３１】
【図１】（ａ）は、本発明によるカメラ付玄関子機用チルト構造を説明する図、（ｂ）は部分説明図である。
【図２】（ａ）、（ｂ）は、本発明によるカメラ付玄関子機用チルト構造の動作を説明する図である。
【図３】本発明の他の実施例の動作を説明する図である。
【図４】（ａ）、（ｂ）は、従来のカメラ付玄関子機用チルト構造を示す図である。
【符号の説明】
【００３２】
１  ‥筐体
１３  ‥ダイヤル挿入部
２  ‥カメラユニット
２F  ‥カメラユニットの支点
２１  ‥長溝部
３  ‥ダイヤル
３１  ‥ピン
３F  ‥ダイヤルの回転軸
４  ‥溝
５  ‥突起
Ｃ  ‥ダイヤルのカメラユニット寄り半円
Ax  ‥光軸
【図１】
0003579229.tif 000002
【図２】
0003579229.tif 000003
【図３】
0003579229.tif 000004
【図４】
0003579229.tif 000005